(57)【要約】【課題】接合部の接合状態の検査の信頼性を向上させることができる樹脂部材の接合構造及びその接合状態検査方法を提供する。【解決手段】樹脂部材の接合構造１は、第１樹脂部材３（オイルフィルタブラケット）と、第２樹脂部材５（止め栓）と、を振動溶着により接合した樹脂部材の接合構造である。第２樹脂部材には、第１樹脂部材と接合される部位に、流体が流通可能な流路５３（スリット）が形成されており、流路は、振動溶着前に第１樹脂部材と第２樹脂部材とを当接させた状態では流体の流通が可能であるとともに、振動溶着が完了して、第１樹脂部材と第２樹脂部材とが接合されて、予め定められた正規の位置関係になった状態では、流路は閉塞されて流体の流通が不能とされている。【選択図】図８
2014162067.tif 000002
【特許請求の範囲】
【請求項１】
第１樹脂部材と、第２樹脂部材と、を振動溶着により接合した樹脂部材の接合構造であって、
前記第２樹脂部材には、前記第１樹脂部材と接合される部位に、流体が流通可能な流路が形成されており、
前記流路は、前記振動溶着前に前記第１樹脂部材と前記第２樹脂部材とを当接させた状態では前記流体の流通が可能であるとともに、
前記振動溶着が完了して、前記第１樹脂部材と前記第２樹脂部材とが接合されて、予め定められた正規の位置関係になった状態では、前記流路は閉塞されて前記流体の流通が不能とされていることを特徴とする樹脂部材の接合構造。
【請求項２】
前記第１樹脂部材は内燃機関のシリンダ本体にオイルフィルタを取り付けるためのオイルフィルタブラケットであり、
前記第２樹脂部材は、前記オイルフィルタブラケットに形成された孔を閉塞するための止め栓である請求項１記載の樹脂部材の接合構造。
【請求項３】
請求項１又は２記載の樹脂部材の接合構造の接合状態を検査するための検査方法であって、
前記流路を流通する流体の量を把握することにより、前記接合状態を検査することを特徴とする樹脂部材の接合構造の接合状態検査方法。
【発明の詳細な説明】
【技術分野】
【０００１】
本発明は、樹脂部材の接合構造及びその接合状態検査方法に関する。さらに詳しくは、接合部の接合状態の検査の信頼性を向上させることができる樹脂部材の接合構造及びその接合状態検査方法に関する。
【背景技術】
【０００２】
従来より、樹脂部材同士の接合方法として、樹脂部材同士を溶融して接合するいわゆる溶着が広く行われている。（例えば、特許文献１参照）。この特許文献１では、２つの樹脂部材の接合面同士を突き合わせて、この突き合わせ部にレーザ光を照射することにより溶着接合するようにしている。
【先行技術文献】
【特許文献】
【０００３】
【特許文献１】特開２００４−３５１７３０号公報
【発明の概要】
【発明が解決しようとする課題】
【０００４】
ところで、溶着の種類としては、加圧しながら振動を加えることによって生じる摩擦熱を利用して溶着接合する振動溶着も広く知られている。振動溶着では、通常、加圧時の荷重や沈み込み量を監視しながら溶着することにより溶着の良否を判断する。例えば、加圧時の荷重が適正でなかったり、所定の沈み込み量まで沈み込んでいなかったりした場合には、溶着が不十分であると判断する。しかしながら、この場合、接合部を間接的にしか確認することができないため、検査の信頼性に欠けていた。
【０００５】
本発明は、上記現状に鑑みてなされたものであり、接合部の接合状態の検査の信頼性を向上させることができる樹脂部材の接合構造及びその接合状態検査方法を提供することを目的とする。
【課題を解決するための手段】
【０００６】
上記課題を解決するために、請求項１に記載の発明は、第１樹脂部材と、第２樹脂部材と、を振動溶着により接合した樹脂部材の接合構造であって、前記第２樹脂部材には、前記第１樹脂部材と接合される部位に、流体が流通可能な流路が形成されており、前記流路は、前記振動溶着前に前記第１樹脂部材と前記第２樹脂部材とを当接させた状態では前記流体の流通が可能であるとともに、前記振動溶着が完了して、前記第１樹脂部材と前記第２樹脂部材とが接合されて、予め定められた正規の位置関係になった状態では、前記流路は閉塞されて前記流体の流通が不能とされていることを要旨とする。
【０００７】
請求項２に記載の発明は、請求項１において、前記第１樹脂部材は内燃機関のシリンダ本体にオイルフィルタを取り付けるためのオイルフィルタブラケットであり、前記第２樹脂部材は、前記オイルフィルタブラケットに形成された孔を閉塞するための止め栓であることを要旨とする。
【０００８】
請求項３に記載の発明は、請求項１又は２記載の樹脂部材の接合構造の接合状態を検査するための検査方法であって、前記流路を流通する流体の量を把握することにより、前記接合状態を検査することを要旨とする。
【発明の効果】
【０００９】
本発明の樹脂部材の接合構造によると、第２樹脂部材には、振動溶着により第１樹脂部材と接合される部位に、流体が流通可能な流路が形成されている。この流路は、振動溶着前に第１樹脂部材と第２樹脂部材とを当接させた状態では流体の流通が可能であるとともに、振動溶着が完了して、第１樹脂部材と第２樹脂部材とが接合されて、予め定められた正規の位置関係になった状態では、閉塞されて流体の流通が不能とされている。これにより、第１樹脂部材と第２樹脂部材とを接合したときに正規の位置まで達せず、沈み込み量が十分でない場合には、流路は閉塞されない。このため、流路を流体が流通可能な状態が維持されたままとなり、気密性試験によって溶着不良と判別することができる。
このように、本発明の樹脂部材の接合構造では、接合部の接合状態の検査の信頼性を向上させることができる。
【００１０】
また、第１樹脂部材が内燃機関のシリンダ本体にオイルフィルタを取り付けるためのオイルフィルタブラケットであり、第２樹脂部材が前記オイルフィルタブラケットに形成された孔を閉塞するための止め栓である場合は、止め栓とフィルタブラケットとの接合状態を簡易かつ確実に確認することができ、溶着強度について信頼できるオイルフィルタブラケットとすることができる。
【００１１】
本発明の樹脂部材の接合状態検査方法によると、流路を流通する流体の量を把握することにより、樹脂部材同士の接合状態を検査するようにしている。これにより、溶着強度についての検査の信頼性を高めることができる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る樹脂部材の接合構造を模式的に示す縦断面図である。
【図２】図１の要部拡大断面図である。
【図３】実施例に係る第１樹脂部材の要部拡大図である。
【図４】実施例に係る第２樹脂部材の部分断面図である。
【図５】実施例に係る第２樹脂部材を示す斜視図である。
【図６】実施例に係る第２樹脂部材の要部拡大断面図である。
【図７】実施例に係る樹脂部材の接合構造の作用を説明するための説明図である。
【図８】実施例に係る樹脂部材の接合構造の作用を説明するための説明図である。
【図９】実施例に係る樹脂部材の接合構造の作用を説明するための説明図である。
【図１０】実施例に係る樹脂部材の接合構造の作用を説明するための説明図である。
【図１１】他の実施形態に係る樹脂部材の接合構造を説明するための説明図である。
【図１２】更に他の実施形態に係る樹脂部材の接合構造を説明するための説明図である。
【図１３】更に他の実施形態に係る樹脂部材の接合構造を説明するための説明図である。
【図１４】更に他の実施形態に係る樹脂部材の接合構造を説明するための説明図である。
【図１５】更に他の実施形態に係る樹脂部材の接合構造を説明するための説明図である。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
１．樹脂部材の接合構造
本実施形態１．に係る樹脂部材の接合構造（１）は、第１樹脂部材（３）と、第２樹脂部材（５）と、を振動溶着により接合した樹脂部材の接合構造である。第２樹脂部材には、第１樹脂部材と接合される部位に、流体が流通可能な流路（５３，６７，６９）が形成されており、流路は、振動溶着前に第１樹脂部材と第２樹脂部材とを当接させた状態では流体の流通が可能であるとともに、振動溶着が完了して、第１樹脂部材と前記第２樹脂部材とが接合されて、予め定められた正規の位置関係になった状態では、流路は閉塞されて流体の流通が不能とされていることを特徴とする。
【００１５】
上記第１樹脂部材及び第２樹脂部材の材質は特に問わないが、例えば、ポリスチレン（ＰＳ）、ポリエチレン（ＰＥ、ＬＤＰＥ、ＨＤＰＥ、ＬＬＤＰＥ等）、ポリカーボネート（ＰＣ）、ポリプロピレン（ＰＰ）、ポリブチレンテレフタレート（ＰＢＴ）、ポリエチレンテレフタレート（ＰＥＴ）、ポリアミド（ＰＡ）、ポリアセタール（ＰＯＭ）などの熱可塑性樹脂を挙げることができる。上記第１樹脂部材及び第２樹脂部材は同種の樹脂であることが好ましい。両樹脂部材の熱膨張率を同じにして接合性をより高め得るためである。
上記振動溶着の種類は、振動による摩擦熱を利用する限り特に問わないが、例えば、超音波、音波による共鳴振動を利用した溶着や、機械的振動を利用した溶着等が挙げられる。
【００１６】
上記流路は、第２樹脂部材の第１接合部材と接合される部位に形成されている。上記流路の形状は特に問わないが、例えば、スリット等の溝形状（例えば、図４〜図６等参照）や、丸孔、角孔等の穴形状（例えば、図１５等参照）等であることができる。流路は、１箇所のみに形成されていてもよいし、２以上の複数箇所に形成されていてもよい。
【００１７】
上記「振動溶着前に第１樹脂部材と第２樹脂部材とを当接させた状態」とは、例えば、（ｉ）第１樹脂部材の接合面（３５，６３）と第２樹脂部材の接合面（５１，６５）とを面接触させた状態（例えば、図８、図１３等参照）、（ｉｉ）第１樹脂部材の接合面に第２樹脂部材の接合角部（５９）を当接させた状態（例えば、図１１等参照）、（ｉｉｉ）第１樹脂部材の接合角部（６１）に第２樹脂部材の接合面を当接させた状態（例えば、図１２等参照）等の形態であることを意図している。これら（ｉ）〜（ｉｉｉ）のうちでは、（ｉ）の形態であることが好ましい。振動溶着開始時の摩擦面積を大きくすることができるとともに、接合領域を大きくすることができ、安定した溶着を実現することができるからである。
【００１８】
本実施形態１．の樹脂部材の接合構造としては、例えば、上記第１樹脂部材が内燃機関のシリンダ本体（１７）にオイルフィルタ（７）を取り付けるためのオイルフィルタブラケット（３）であり、上記第２樹脂部材がオイルフィルタブラケットに形成された孔（３３）を閉塞するための止め栓（５）である形態であることができる（例えば、図１等参照）。上記孔は、例えば、樹脂成形品であるオイルフィルタブラケットの油路（９，１１）を後加工にて形成したときの加工穴（捨て穴）であることができる。この場合、オイルフィルタブラケットの油路にかかる内圧に対する十分な耐圧性を確保し得るとともに、振動溶着による接合面同士の接合により捨て穴の十分なシール性を確保することができる。
【００１９】
２．樹脂部材の接合状態検査方法
本実施形態２．に係る樹脂部材の接合状態検査方法は、上記実施形態１．の樹脂部材の接合構造の接合状態を検査するための検査方法であって、流路を流通する流体の量を把握することにより、第１樹脂部材と第２樹脂部材との接合状態を検査することを特徴とする。
上記「流路を流通する流体の量を把握する」方法としては、例えば、気体の漏れの有無を調べる気密性試験を挙げることができる。
【実施例】
【００２０】
以下、図面を用いて実施例により本発明を具体的に説明する。なお、本実施例では、本発明に係る「第１樹脂部材」として、内燃機関のシリンダ本体にオイルフィルタを取り付けるためのオイルフィルタブラケットを例示し、本発明に係る「第２樹脂部材」として、オイルフィルタブラケットの油路の捨て穴を塞ぐ止め栓を例示する。
【００２１】
（１）樹脂部材の接合構造の構成
本実施例に係る樹脂部材の接合構造１は、図１及び図２に示すように、オイルフィルタブラケット３（以下、単にブラケット３と表記する）及び止め栓５を振動溶着により接合した構造である。
【００２２】
ブラケット３はポリアミド系樹脂からなる。ブラケット３には、図１に示すように、オイルフィルタ７でろ過されたオイルをエンジンに戻すための戻し油路９と、エンジンからオイルフィルタ７にオイルを送るための送り油路１１とが形成されている。これら各油路９，１１は、２箇所の屈曲部を持つ略Ｕ字状に形成されている。また、各油路９，１１の一端側１３，１５には、シリンダ本体１７に形成された挿入筒部１９（図１中に一方のみ記載する）が挿入されている。また、一方の油路９の他端側２１（オイルフィルタ側）にはオイルフィルタ７の筒状の油路連結部２３が挿入されている。さらに、他方の油路１１の他端側２５は濾過室２７に連絡されている。なお、ブラケット３の一端側には、オイルフィルタ７の構成部品となるケース状のハウジング部２９が設けられている。
【００２３】
また、ブラケット３には、各油路９，１１のシリンダ本体１７側の屈曲部の近傍に筒部３１がそれぞれ形成されている。これら各筒部３１には、各油路９，１１とブラケット３の外部とを連絡する捨て穴３３（本発明に係る孔として例示する）が形成されている。捨て穴３３は、樹脂成形品であるブラケット３の油路９，１１を後加工にて形成したときの加工穴である。また、図３に示すように、各捨て穴３３の内周にはテーパ状の接合面３５が形成されている。この接合面３５は、振動溶着開始時において、後述する止め栓５の接合面と当接して接合される面である。接合面３５は、止め栓５と接合されるときの押圧方向に対して傾斜して形成されている。
【００２４】
なお、上記オイルフィルタ７は、エレメント交換型のオイルフィルタであり、ブラケット３のハウジング部２９が螺合されるケース部材３７と、このケース部材３７とハウジング部２９との間に形成される濾過室２７内に収容されるフィルタエレメント３９と、を備えている。このフィルタエレメント３９は、濾材４１と、この濾材４１を外周側に装着してなる円筒状のプロテクタ４３と、を備えている。このプロテクタ４３の一端側には油路連結部２３が形成されている。
【００２５】
止め栓５は、ブラケット３と同様ポリアミド系樹脂からなる。止め栓５は、超音波振動溶着により、ブラケット３の筒部３１に接合されている。この止め栓５は、図４〜図６に示すように、略円板形状の頭部４５と、この頭部４５の一面側に連なる略円柱状の胴部４７と、この胴部４７の頭部４５とは反対側の面に連なり、胴部４７の直径よりも縮径された縮径部４９と、を備えており、全体として階段状をなしている。胴部４７の縮径部４９側の端部には、テーパ状の接合面５１が形成されている。この接合面５１は、ブラケット３と接合される部位であり、筒部３１の接合面３５に当接させたときに面接触するように、接合面３５と略平行に形成されている。
【００２６】
また、止め栓５には、スリット５３（本発明に係る流路として例示する）が形成されている。スリット５３は、ブラケット３と接合される部位となる接合面３５に形成されている。スリット５３は、止め栓５の周方向に略等配で４箇所形成されている。各スリット５３は、断面略矩形状であるとともに、接合面５１に略直交する方向へ接合面５１から陥没するように形成されている。また、スリット５３は、その両端部が、胴部４７の縮径部４９側の面と、胴部４７の外周面と、にそれぞれに達するように、接合面５１を横切って形成されている。さらに、図６に示すように、スリット５３は、その底面５５が、接合面５１と略平行になるように形成されている。
【００２７】
（２）樹脂部材の接合構造の作用
次に、上記構成の樹脂部材の接合構造の作用について説明する。
図７に示すように、ブラケット３と止め栓５の接合時には、最初に、ブラケット３側の接合面３５と、止め栓５側の接合面５１と、が当接するように、止め栓５をブラケット３の筒部３１に形成された捨て穴３３に挿入する。ブラケット３側の接合面３５と止め栓５側の接合面５１とを当接させた状態では、図８に示すように、スリット５３を介して、捨て穴３３内の空間と外部空間とが連通しており、スリット５３を流体が流通可能となっている。
【００２８】
この状態で、止め栓５を捨て穴３３への挿入方向に加圧しながら超音波振動を付与することにより接合面３５，５１に摩擦熱が発生し、接合面３５，５１を中心にその周囲の樹脂が溶融する。すると、図９に示すように、加圧されていることによって止め栓５が沈み込み、ブラケット３と止め栓５の間に接合部５７が形成される。この止め栓５の沈み込みが生じているとき、スリット５３は、接合部５７に吸収されるようにして、その断面積が次第に小さくなってゆく。また、このとき、スリット５３の底面５５が接合面５１と略平行になるように形成されていることから、スリット５３は、その長手方向のいずれの場所においても、断面積が略同一の状態を保ちながら、均等に縮小するように、接合部５７に吸収されてゆく。そして、更に溶着を進めて止め栓５を沈み込ませると、図１０に示すように、十分な大きさの接合部５７が形成され、振動溶着が完了する。振動溶着が完了したときには、スリット５３は接合部５７に吸収されて閉塞されており、流体の流通は不能となっている。
【００２９】
ブラケット３と止め栓５の接合では、振動溶着が完了した時点における部材の位置関係が、接合部５７の溶着強度を基準にして予め定められている。この位置関係は、接合部５７の溶着強度が十分に確保されていると想定される位置まで止め栓５が沈み込んだときの２部材の位置関係であり、この位置関係を正規の位置関係としている。この正規の位置関係となった状態では、スリット５３は接合部５７に吸収されて閉塞されており、捨て穴３３内の空間と外部空間とは遮断された状態となっている。このため、捨て穴３３内の空間と外部空間との間の流体の流通は不能であり、気密性試験を行っても、スリット５３からの流体の漏洩は検出されない。
【００３０】
一方、ブラケット３と止め栓５の位置関係が正規の位置関係に達していない場合には、図９に示すように、スリット５３が塞がれず、流体の流通が可能な状態となっている。したがって、この状態で気密性試験を行ったときには、スリット５３を介しての流体の流通が検出される。
【００３１】
（３）実施例の効果
以上より、本実施例の樹脂部材の接合構造１によると、止め栓５には、振動溶着によりブラケット３と接合される部位に、流体が流通可能なスリット５３が形成されている。このスリット５３は、振動溶着前にブラケット３と止め栓５とを当接させた状態では流体の流通が可能であるとともに、振動溶着が完了して、ブラケット３と止め栓５とが接合されて、予め定められた正規の位置関係になった状態では、閉塞されて流体の流通が不能とされている。これにより、ブラケット３と止め栓５とを接合したときに、止め栓５の沈み込み量が十分でなく、２部材が正規の位置関係になっていない場合には、スリット５３は閉塞されない。このため、スリット５３を流体が流通可能な状態が維持されたままとなり、気密性試験によって溶着不良と判別することができる。
このように、本実施例の樹脂部材の接合構造１では、接合部５７の接合状態の検査の信頼性を向上させることができる。
【００３２】
また、本実施例では、ブラケット３と止め栓５とを同種の樹脂としたので、略同等の熱膨張率の２部材を良好に接合することができる。
【００３３】
さらに、本実施例では、ブラケット３側のテーパ状の接合面３５と、止め栓５側のテーパ状の接合面５１とを形成し、振動溶着前では、ブラケット３と止め栓５とが当接した状態となるようにしたので、線接触や点接触の場合と比較して、振動溶着開始時の摩擦面積を大きくすることができるとともに、接合領域を大きくすることができる。その結果、安定した溶着を実現することができる。
【００３４】
また、本実施例では、スリット５３を、止め栓５の周方向に略等配で４箇所形成するようにしたので、気密性試験により流体の流通が認められた場合には、その位置に基づいて、接合部５７の不具合が生じている位置を特定することができる。
【００３５】
さらに、本実施例では、スリット５３の断面形状を略矩形状としたので、ブラケット３と止め栓５とが正規の位置関係になっていない状態のときの縮小されたスリット５３であっても、流体の流通を確保することができる。このため、確実な接合状態の検査を実施することができる。
【００３６】
また、本実施例では、スリット５３を、その底面５５が接合面５１と略平行になるように形成したので、接合時には、スリット５３が、その長手方向のいずれの場所においても、断面積が略同一の状態を保ちながら、均等に縮小するように、接合部５７に吸収されてゆくようにすることができる。これにより、スリット５３の一部のみが先に閉塞されてしまうのを防止することができる。
【００３７】
さらに、本実施例では、気密性試験によりスリット５３を流通する流体の量を把握することによって、ブラケット３と止め栓５との接合状態を検査するようにしている。このため、従来の加圧時の荷重や沈み込み量を監視することによる接合状態の把握と組み合わせることによって、溶着強度についての検査の信頼性をより高めることができる。
【００３８】
尚、本発明においては、上記実施例に限られず、目的、用途に応じて本発明の範囲内で種々変更した実施例とすることができる。即ち、上記実施例では、ブラケット３及び止め栓５の溶着開始時に当接する箇所をテーパ状の接合面３５，５１として、これらを面接触させる例を示したが、これに限定されず、例えば、図１１に示すように、ブラケット３の接合面３５に止め栓５の接合角部５９を当接させるようにしたり、図１２に示すように、ブラケット３の接合角部６１に、止め栓５の接合面５１を当接させるようにしたりしてもよい。
【００３９】
また、上記実施例では、ブラケット３及び止め栓５の溶着開始時に当接する箇所として止め栓５と接合されるときの押圧方向に対して傾斜して形成されたテーパ状の接合面３５，５１を例示したが、これに限定されず、例えば、図１３に示すように、押圧方向に対して略直交する接合面６３，６５としてもよい。
【００４０】
さらに、上記実施例では、本発明に係る第１樹脂部材をブラケット３、第２樹脂部材を止め栓５として、止め栓５側に、本発明に係る流路としてのスリット５３を形成するようにしたが、これに限定されず、例えば、図１４に示すスリット６７のように、ブラケット３側に流路を形成するようにしてもよい。すなわち、第１樹脂部材を止め栓５、第２樹脂部材をブラケット３としてもよい。
【００４１】
また、上記実施例では、本発明に係る流路として、断面略矩形状のスリット５３を例示したが、これに限定されず、例えば、略Ｖ字状、略Ｕ字状等の断面のスリットであってもよい。また、流路は、スリットのような溝状に限られず、例えば、図１５に示すように、流路として孔６９を形成するようにしてもよい。流路が孔である場合、この孔は、略円形状、略楕円形状、長円形状、略方形状等の断面を有する孔であることができる。
【００４２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００４３】
本発明は上記で詳述した実施形態に限定されず、本発明の請求項に示した範囲で様々な変形または変更が可能である。
【産業上の利用可能性】
【００４４】
振動用着により接合された接合部の接合状態の検査の信頼性を向上させる技術として広く利用される。
【符号の説明】
【００４５】
１；樹脂部材の接合構造、３；オイルフィルタブラケット（第１樹脂部材）、５；止め栓（第２樹脂部材）、７；オイルフィルタ、９；戻し油路、１１；送り油路、１７；シリンダ本体、１９；挿入筒部、２３；油路連結部、２７；濾過室、２９；ハウジング部、３１；筒部、３３；捨て穴（孔）、３５，６３；オイルフィルタブラケット（第１樹脂部材）側の接合面、３７；ケース部材、３９；フィルタエレメント、４１；濾材、４３；プロテクタ、４５；頭部、４７；胴部、４９；縮径部、５１，６５；止め栓（第２樹脂部材）の接合面、５３，６７；スリット（流路）、５５；スリット（流路）の底面、５７；第１樹脂部材と第２樹脂部材との接合部、５９；止め栓（第２樹脂部材）側の接合角部、６１；オイルフィルタブラケット（第１樹脂部材）側の接合角部、６９；孔（流路）。
【図１】
2014162067.tif 000003
【図２】
2014162067.tif 000004
【図３】
2014162067.tif 000005
【図４】
2014162067.tif 000006
【図５】
2014162067.tif 000007
【図６】
2014162067.tif 000008
【図７】
2014162067.tif 000009
【図８】
2014162067.tif 000010
【図９】
2014162067.tif 000011
【図１０】
2014162067.tif 000012
【図１１】
2014162067.tif 000013
【図１２】
2014162067.tif 000014
【図１３】
2014162067.tif 000015
【図１４】
2014162067.tif 000016
【図１５】
2014162067.tif 000017